(57)【要約】      （修正有）【課題】一体的に取り扱うことが可能で、鼻筋を高く見せることができ、かつ、呼吸が楽になる補助具付きマスクを提供する。【解決手段】少なくとも鼻部の一部を覆うようにマスクＭの顔面との接触面側に略鼻筋形状の補助具２を取りつける。補助具のぶんカサ上げされた状態となり実際よりも鼻筋を高く見せることができる。また、マスク本体１と鼻部の間に所定のスペースが生じるためマスク装着時の呼吸が楽になる。【選択図】図４
0003188782.tif 000002
【実用新案登録請求の範囲】
【請求項１】
自マスクの装着時に少なくとも鼻部の一部を覆うように自マスクの顔面との接触面側において備えられる略鼻筋形状の補助具により自マスクを盛り上げて実際の鼻筋よりも鼻筋を高く見せる補助具付きマスク。
【請求項２】
前記補助具は、鼻孔を超える位置まで下端部が延伸する請求項１に記載の補助具付きマスク。
【考案の詳細な説明】
【技術分野】
【０００１】
本考案は、鼻筋を高く見せることができる補助具付きのマスクに関する。
【背景技術】
【０００２】
花粉や埃を防護することを主目的とするいわゆる衛生マスクが広く知られている。市販のものとして、素材が、織物、編み物などによるものがある。
【０００３】
一方、関連技術として以下のようなものが提案されている。
鼻の乾燥や埃、花粉、又は風邪によるウイルスの侵入を防ぐためのマスク機能を損なうことなく市販のマスクをそのまま利用して呼吸や会話が円滑に行うことが可能とするマスク補助具を提供し、その上側から市販のマスクを装着する。そのマスク補助具の構成は、フレーム本体の中央部付近から口の上付近に延びた板状のマスク支持部によって、マスクのガーゼ面と鼻、及び口との間に空間が生じるため、マスクが鼻と口に張り付くことにより生じる呼吸の息苦しさや、会話時の煩わしさが解消され、マスクの下側に装着して鼻が高く見えるため、使用時の外観は美しく見える（特許文献１参照）。
【先行技術文献】
【特許文献】
【０００４】
【特許文献１】特開２０１１−２４４８５８号公報
【考案の概要】
【考案が解決しようとする課題】
【０００５】
しかしながら、上記の関連技術は、そもそも、マスク補助具とマスクは別体であり、一体的に取り扱うことが困難である。また、マスク補助具を事前に購入しておく必要があり、そのマスク補助具もフレーム本体の中央部付近から口の上付近に延びた板状のマスク支持部を形成する必要があり、構成が複雑となり、高コストとなるという問題点があった。
【０００６】
本考案の目的は、一体的に取り扱うことが可能で、鼻筋を高く見せることができ、かつ、呼吸が楽になる補助具付きマスクを提供することにある。
【課題を解決するための手段】
【０００７】
本考案の補助具付きマスクは、自マスクの装着時に少なくとも鼻部の一部を覆うように自マスクの顔面との接触面側において備えられる略鼻筋形状の補助具により自マスクを盛り上げて実際の鼻筋よりも鼻筋を高く見せる。
このように略鼻筋形状の補助具が自マスクの顔面との接触面側において備えられるので、略鼻筋形状の補助具をマスク本体と一体的に取り扱うことが可能で、補助具のぶんカサ上げされた状態となり実際よりも鼻筋を高く見せることができる。また、略鼻筋形状の補助具により、マスク本体と鼻部の間に所定のスペースが生じるためマスク装着時の呼吸が楽になる。
【０００８】
また、本考案の補助具付きマスクは、前記補助具は、鼻孔を超える位置まで下端部が延伸することであってもよい。
このように、補助具は、鼻孔を超える位置まで下端部が延伸する形状であるため、その延伸した下端部によりマスク本体と鼻孔下部の間に所定のスペースが生じるためマスク装着時の呼吸がより確実に楽になる。
【考案の効果】
【０００９】
本考案によれば、一体的に取り扱うことが可能で、鼻筋を高く見せることができ、かつ、呼吸が楽になる補助具付きマスクを提供することができる。
【図面の簡単な説明】
【００１０】
【図１】本考案の実施の形態に係るマスクの全体概略斜視図である。
【図２】本考案の実施の形態に係るマスクの補助具を示す図である。
【図３】本考案の実施の形態に係るマスクの補助具の取付手法を説明する図である。
【図４】本考案の実施の形態に係るマスクの使用状態を示す図である。
【図５】本考案の実施の形態に係るマスクの補助具と鼻孔との位置関係を示す図である。
【図６】本考案の変形例に係るマスクの補助具を示す図である。
【図７】本考案の変形例に係るマスクの使用状態を示す図である。
【考案を実施するための形態】
【００１１】
以下、本考案の実施の形態を図面を参照しつつ説明する。図１に示すように、本実施の形態のマスクＭは、マスク本体部１と補助具２とからなる。
マスク本体部１は、口当て部１０と、当該口当て部１０の両側に取り付けられた２つの耳掛け部２０とから構成されている。
補助具２は、後述するように、自マスクの装着時に少なくとも鼻部の一部を覆い、かつ、自マスクを盛り上げてカサ上げすることにより実際の鼻筋よりも鼻筋を高く（強調して）見せる略鼻筋形状のものである。
【００１２】
より詳細には、マスク本体部１の口当て部１０は、左右から口部が膨出するような形状である（周知の起立体形状）。なお、長方形が基本形状で、略上半分は平面状であるが、略下半分は複数の折り畳み部により蛇腹状（プリーツ）に形成されていてもよい。また、局所的には突出し、切り欠き、角部の丸みなどが設けられてよい。
左右の略同形状の不織布部材を熱又は超音波などにより接着（溶着）加工して製作されてよい。
着用時には軽く畳まれた状態（左右を二つ折り）から左右方向に折り目を伸展されてやや開拡されて、少なくとも着用者の顔面下方部を覆うようにフィットするものである。
【００１３】
口当て部１０は、左右の全幅長が略１２ｃｍ・上下の高さ寸法が略９ｃｍの略クチバシ形状であり、厚み寸法は、例えば略１ｍｍ以下（好適には０．１５ｍｍ〜０．７５ｍｍ。）の不織布で形成されている。
口当て部１０は、ここでは厚み寸法を小さくして薄さを実現するために２層とする。なお、１層であったり、３層以上であってもよい。第一層は不織布、中間層は溶融ブロー布、第三層は不織布等となっていてもよい。さらに不織布には、無機抗菌材料が使用され、抗菌消臭作用を発揮させてもよい。
なお、口当て部１０のサイズをＳサイズ、Ｍサイズ、Ｌサイズ、ＬＬサイズのように、各サイズで形成し、着用者（大人、女性、子供など）の顔の大きさに対応するサイズを選択できるようにしてもよい。
口当て部１０には、所定の文字・図形等の印刷などによる装飾が施されていてもよい。
【００１４】
いわゆるノーズワイヤー（ノーズフィットワイヤー・ノーズピース）と呼ばれる、縦長の扁平状や軸状の所定の柔軟性のあるプラスチックやプラスチックフィルムで被覆した針金を縫い込んだものが、口当て部１０の上端縁部に設けられていてもよい。
【００１５】
耳掛け部２０は、弾性体（例えば、ソフトゴム。）からなる細いリング状部材である。ここでは口当て部１０から略４ｃｍの距離を形成するようにリング状となっている。必ずしもリング・ループ状である必要はなく、後頭部で結ぶことができる自由端部を有するものや、フック等によって連結することであってもよい。
【００１６】
なお、マスク本体部１の材料、形状、層構造、伸縮構造、縫製等については、既知の技術が広く適用可能である。
【００１７】
補助具２は、図２に示すように、発泡スチロールのような部材を打ち抜きや切り出しおよび研磨等により、所望の略鼻筋形状に形成される。もちろん、材質は紙や金属、その他の樹脂等やそれらの組合せであってもよい。厚み寸法も板状のものを湾曲させたりすることであれば薄い材質が用いられてもよい。
軽量で所定の強度を備えており、肌にも優しい材質・形状であることが好ましい。基本的には繰り返しの使用に耐えうるものであるが、低コストであれば使い捨ても可能である。
少なくとも鼻筋の盛り上がり部分の一部を覆うことができる寸法である。ここでは、長手方向の寸法が略３ｃｍ、短手方向の寸法が略１ｃｍとする。
断面形状（鼻筋の長手方向に垂直な断面の形状）は、特に限定されず、逆Ｕ字形、への字形、これらの中間的な多角の形状（角部の丸み・ふくらみを含む）などであってもよい。
マスク本体の顔面との接触面側に内部に配置する態様が好ましい。
マスク装着時に鼻筋の盛り上がり（湾曲）に沿わせて凹部が鼻筋にフィットするように形成され、鼻筋の両側に生じる隙間は少なくなる。
また、自マスクの装着時に少なくとも鼻部の一部を覆うように自マスクの顔面との接触面側において備えられる略鼻筋形状で鼻孔を超える位置まで下端部が延伸することであってもよい。鼻孔を超える位置まで下端部が延伸する形状であるため、その延伸した下端部によりマスク本体と鼻孔下部の間に所定のスペースが生じるためマスク装着時の呼吸が楽になる。
【００１８】
補助具２は、図３に示すように、マスク本体部１の口当て部１０の顔面との接触面側（内側）に取付けられる。
補助具２のマスク本体部１の口当て部１０への取付手法としては、いわゆるノーズワイヤーと同様の芯材が補助具２に通してあり、口当て部１０の上端縁部に設けられるいわゆるノーズワイヤーと、芯材両側に対する電気加熱や超音波等によるスポット溶接等により固定することであってもよい。マスク本体部１の口当て部１０からの浮きや脱落が防止されるように接着剤やその他の接合材料等により取付けられてもよい。
【００１９】
以下、上述のような構成を有するマスクＭの使用方法について説明する。
マスクＭの着用者は、手指などで、折り畳まれた状態から左右方向に折り目から伸展してやや開拡して、着用者の鼻筋を覆うように、かつ、鼻孔を超える位置に下端部があるように補助具２を当て、口部及び鼻部を含む顔面の所定部分を覆うように口当て部１０をフィットさせる。そして、２つの耳掛け部２０を両耳にそれぞれ装着する（図４・図５参照）。
補助具２のぶんカサ上げされた状態となりマスク着用者の看者に対して実際よりも鼻筋を高く見せることができる。また、マスク本体と鼻孔下部の間に生じる所定のスペースにより呼吸を楽に行うこともできる。
特に、女性にとって口紅やリップなどが付着することを防止できる形状であることが望ましく、マスクＭの口部に対応する箇所が膨出していることにより、接触防止機能が実現されている。
【００２０】
上記の本実施の形態によれば、マスク本体と補助具を一体的に取り扱うことが可能で、鼻筋を高く見せることにより格好の良い見栄えとなり、かつ、呼吸が楽に行える補助具付きマスクが実現される。
また、装着したマスク本体がずれた場合であっても鼻孔を圧迫することなく、呼吸の際に鼻孔に不織布等が吸い付く不快さも低減される。
さらに、補助具がつぶれない程度に左右２つ折りに軽く折り畳んで収納可能であるので、販売時・保管時等の省収納スペース空間が実現できる。
【００２１】
図６及び図７に変形例を示す。補助具２に外側へのフック部２ａが設けられ、固定の際の安定性が図られたり、デザイン性によるお洒落を楽しんだりすることができる。なお、マスク本体部１から脱着可能であってもよい。
【００２２】
その他、一々例示はしないが、本考案は、その趣旨を逸脱しない範囲内において、各構成部分の材質・大きさや形状を含む種々の変更が加えられて実施されてよい。
【符号の説明】
【００２３】
Ｍ            マスク
１            マスク本体部
２            補助具
１０          口当て部
２０          耳掛け部
【図１】
0003188782.tif 000003
【図２】
0003188782.tif 000004
【図３】
0003188782.tif 000005
【図４】
0003188782.tif 000006
【図５】
0003188782.tif 000007
【図６】
0003188782.tif 000008
【図７】
0003188782.tif 000009